(57)【特許請求の範囲】
【請求項１】
上面に複数の溝条部を形成した水切り傾斜面と該傾斜面の前端に延設した水切り面とを有する水受け部の両端に、前記水受け部の水切り傾斜面より上端部が突出する取付け側壁を設けたことを特徴とする溝付き開口部下水切部材を備えた外壁。
【請求項２】
前記取付け側壁に傾斜付きの取付け孔が形成されていることを特徴とする請求項１に記載の溝付き開口部下水切部材を備えた外壁。
【発明の詳細な説明】
【０００１】
【発明の属する技術分野】
本発明は、サッシ枠や換気口等の開口部下の外壁パネルに発生する汚れや凍害を容易に防止できるような溝付き開口部下水切部材を備えた外壁に関するものである。
【０００２】
【従来の技術】
従来、木構造の建物の施工において軸組などの内部構造が組上げた後、外壁となる壁部にサッシ枠や換気口等の所要大きさの開口部を形成すると共に、該開口部の内四周に枠を取付け、該枠内にガラス戸４や換気扇等を取付ける。そして、該開口部を除いて適宜寸法の外壁パネル１を所要枚数外装材として該壁部に取付けて外壁を構成し、該開口部の枠体の四周外側と外壁パネル１との隙間に、図７に示すようにシール材５、シール材６を打ち止水処理が施される。そして、開口部の枠体のガラス戸４やサッシ縦枠２等を伝って流れ落ちる雨水や結露水をサッシ下枠の切欠き部３から下方に流すようにしている。
【０００３】
また、サッシ下枠の切欠き部３から雨水や結露水を直接下方に流さないために、外壁パネル１を建物壁部の躯体側に取付ける以前に開口部下水切部材を予めサッシ下枠の切欠き部３の下方の建物壁部の躯体側に先付けしておき、次に、この開口部下水切部材の形状に合わせて切り欠いた外壁パネル１を開口部下水切部材の取付け部の上から取付け、開口部下水切部材の水受け部と水切り面を外壁パネル１の表面から突出させ、該水受け部でガラス戸やサッシ縦枠を伝って流れ落ちる雨水や結露水を先付けした開口部下水切部材の水受け部で受けるようにしている。
【０００４】
また、サッシ下枠の切欠き部３から雨水や結露水を直接下方に流がさないために図８と図９に示すものは、開口部下水切部材の後付け工法によるもので、上述と同様の建物の開口部のサッシ下枠とサッシ縦枠２との接合部の下方に、上面を平らな水受け部９とし正面に水切り面１０を有する開口部下水切部材８の取付け片１１を取付けネジ１２で建物の壁部を構成する外壁パネル１の表面側に後付けし、開口部のサッシ枠のガラス戸４やサッシ縦枠２を伝って流れ落ちる雨水や結露水をサッシ下枠の切欠き部３から開口部下水切部材８の水受け部９に落として、正面の水切り面１０から下方に流すようにしている。
【０００５】
【発明が解決しようとする課題】
しかしながら、開口部下水切部材の先付け工法では、開口部下水切部材８の形状に合わせて外壁パネル１を切り欠く必要があり、外壁パネル１の割れや欠けの恐れがあり、開口部下水切部材８と外壁パネル１との隙間部のシーリングを確実に施工しないと、この隙間部から躯体側に流れ落ちる雨水や結露水が入り込む恐れがある。また、開口部下水切部材８を予めサッシ下枠の切欠き部３の下方の建物壁部の躯体側に取付ける開口部下水切部材の先付け工法では、外壁パネル１の取付け施工後の取付けは不可能である。
【０００６】
また、図７に示すサッシ下枠の切欠き部３からガラス戸４やサッシ縦枠２を伝って流れ落ちる雨水や結露水を直接下方に流す方式では、サッシ下枠の切欠き部３からタレを生じ、このタレが外壁パネル１の表面を伝って下方に流れ、この結果、雨水や結露水がタレ落ちる際に、外壁パネル１の表面に流れ落ちる道筋を付け、これが乾くと外壁パネル１の表面に埃や塵による汚れ部７がついてしまう。そして、梅雨時などの湿度の高いときには、この汚れ部７が水気を呼んでカビが発生し、外壁パネル１の表面が汚されて見栄えが悪くなると共に、外壁パネル１が腐蝕する恐れがある。また、冬季には、特に窯業製の外壁パネル１では内部にしみ込んだ水が凍って外壁パネル１のひび割れをより促進することもある。
【０００７】
また、図８、９に示す開口部下水切部材の後付け工法においても、開口部のガラス戸４やサッシ縦枠２を伝って流れ落ちる雨水や結露水を開口部下水切部材８の水受け部９から正面の水切り面１０を経て下方に流すようにしているが、開口部下水切部材８の水受け部９の上に雨水や結露水が滞水することが多々あり、水受け部９と外壁パネル１との間にはシール材６が充填されているので、該水受け部９の上に滞水した雨水や結露水が建物躯体側に入り込むことはないが、開口部下水切部材８の外面１３は外壁パネル１に向かって傾斜が付いているため、流れた雨水が外壁パネル１に伝い易い構造であった。
【０００８】
そこで、本発明は、上述した課題によりなされたもので、上面に複数の溝条部を傾斜した水受け部に形成しているので、開口部枠の切欠き部から流れ落ちる雨水や結露水が、溝付き開口部下水切部材の水受け部に滞水することなく水切りすることができると共に、水受け部の両端に前記水受け部の水切り傾斜面より上端部が突出する取付け側壁を設けた溝付き開口部下水切部材を備えた外壁を提供することを目的とするものである。
【０００９】
【課題を解決するための手段】
上記の目的を達成するため、本発明の請求項１に記載の発明は、上面に複数の溝条部を形成した水切り傾斜面と該傾斜面の前端に延設した水切り面とを有する水受け部の両端に、前記水受け部の水切り傾斜面より上端部が突出する取付け側壁を設けたことを特徴とするものである。また、上記の目的を達成するため、本発明の請求項２に記載の発明は、取付け側壁に傾斜付きの取付け孔が形成されていることを特徴とするものである。
【００１０】
【発明の実施の形態】
以下、本発明の簡易屋根の実施の態様を図１〜図６によって説明する。図１は、本発明の丸形溝付き開口部下水切部材を備えた外壁の施工外観図、図２は、本発明の丸形溝付き開口部下水切部材の斜視図、図３は、本発明の丸形溝付き開口部下水切部材を備えた外壁の施工断面図、図４は、本発明の溝付き開口部下水切部材の他の実施例の斜視図、図５は、本発明の溝付き開口部下水切部材の他の実施例の斜視図、図６は、本発明の段差付き四角形溝付き開口部下水切部材を備えた外壁の施工断面図である。
【００１１】
本発明の溝付き開口部下水切部材を実施の態様の一つである図１、２及び３に図示する丸形溝付き開口部下水切部材２０について説明する。本発明の丸形溝付き開口部下水切部材２０は、断面形状が丸形状でアルミ又は合成樹脂製の材質からなっており、両側面の四半円形状の取付け側壁２４、２４の間に、前記取付け側壁２４の弧状に沿う弧面で複数の溝条部２２とこれに連なる水切り傾斜面２１を有する水受け部２３が形成されている。また、丸形溝付き開口部下水切部材２０の取付け側壁２４の四半円形の弧端部２４１は、水受け部２３の外面から突出して形成されており、該取付け側壁２４の外側面には、傾斜付きの取付け孔２５が形成され、この取付け孔２５にネジ２６を差し込んで丸形溝付き開口部下水切部材２０を建物躯体に取付ける。なお、図２における弧端部２４１は、取付け側壁２４の上端部として構成され、これにより、「上端部（弧端部２４１）が突出する取付け側壁２４」が構成されている。
【００１２】
次に、上記本発明の丸形溝付き開口部下水切部材２０の建物躯体への取付けについて説明すると、符号２７は躯体枠で、また、符号２８は開口枠である。躯体枠２７と開口枠２８の上面及び外側には、サッシ下枠２９が図示されていないネジ等の固定具によって取付けられており、このサッシ下枠２９の外側に透湿防水紙３１が、両面に接着性を有する防水テープ３０によって貼着されており、この透湿防水紙３１の外側には、通気胴縁３２が、その外側の外壁パネル１と共にクギ３４によって躯体枠２７に取付けられている。
【００１３】
サッシ下枠２９と外壁パネル１との間のシーリングポケットにはバックアップ材３３を介装してシール材６が充填されてサッシ下枠２９と外壁パネル１との間の止水処理をしている。そして、外壁パネル１の外側に丸形溝付き開口部下水切部材２０の取付け側壁２４の外側面に形成された傾斜付きの取付け孔２５にネジ２６により丸形溝付き開口部下水切部材２０を建物躯体に取付けている。このとき、建物躯体に取付けられた丸形溝付き開口部下水切部材２０の水受け部２３の水切り傾斜面２１の下端部は、外壁パネル１から距離ａ隔てている。
【００１４】
次に、他の実施の態様である本発明の溝付き開口部下水切部材を備えた外壁を図４と図５及び６により説明する。図４の本発明の四角形溝付き開口部下水切部材３５は、断面形状が四角形状でアルミ又は合成樹脂製の材質からなっており、両側面の略四角形状の取付け側壁３８、３８の間に、前記取付け側壁３８の形状に沿った形状で複数の溝条部３６とこの先端に連なる水切り傾斜面３７を有する水受け部が形成されている。また、四角形溝付き開口部下水切部材３５の取付け側壁３８の上端部３８１は、水受け部の外面から突出して形成されており、該取付け側壁３８の外側面には、傾斜付きの取付け孔２５が形成され、この取付け孔２５にネジ２６を差し込んで四角形溝付き開口部下水切部材３５を建物躯体に取付ける。
【００１５】
次に、他の実施の態様である図５の本発明の段差付き四角形溝付き開口部下水切部材３９は、断面形状が段差付き四角形状で、前述の丸形溝付き開口部下水切部材２０や四角形溝付き開口部下水切部材３５と同様、アルミ又は合成樹脂製の材質からなっており、両側面の段差付き四角形状の取付け側壁３８、３８の間に、前記取付け側壁３８の形状に沿った形状で複数の溝条部３６とこの先端に連なる水切り傾斜面３７を有する水受け部が形成されている。また、段差付き四角形溝付き開口部下水切部材３９の取付け側壁３８の上端部３８１は、水受け部の外面から突出して形成されており、該取付け側壁３８の外側面には、傾斜付きの取付け孔２５が形成され、この取付け孔２５にネジ２６を差し込んで四角形溝付き開口部下水切部材３９を建物躯体に取付ける。
【００１６】
次に、上記本発明の段差付き四角形溝付き開口部下水切部材３９の建物躯体への取付けについて説明すると、躯体枠２７と開口枠２８の上面及び外側には、サッシ下枠２９がネジ等の固定具によって取付けられており、このサッシ下枠２９の外側に透湿防水紙３１が、両面に接着性を有する防水テープ３０によって貼着されており、この透湿防水紙３１の外側には、通気胴縁３２が、その外側の外壁パネル１と共にクギ３４によって躯体枠２７に取付けられている。
【００１７】
サッシ下枠２９と外壁パネル１との間のシーリングポケットにはバックアップ材３３を介装してシール材６が充填されてサッシ下枠２９と外壁パネル１との間の止水処理をしている。そして、外壁パネル１の外側に段差付き四角形溝付き開口部下水切部材３９の取付け側壁２４の外側面に形成された傾斜付きの取付け孔２５にネジ２６により段差付き四角形溝付き開口部下水切部材３９を建物躯体に取付けている。このとき、建物躯体に取付けられた段差付き四角形溝付き開口部下水切部材３９の水受け部の段差付き水切り面４０の下端部は、外壁パネル１から距離ａ隔てている。
【００１８】
次に、本発明の溝付き開口部下水切部材の機能を図１及び図２によって説明すると、降雨時に開口部のサッシ枠のガラス戸４やサッシ縦枠２を伝って流れ落ちる雨水や結露水は、サッシ下枠の切欠き部３から丸形溝付き開口部下水切部材２０の複数の溝条部２２を形成した水受け部２３の上に流れ落ちる。そして、この流れ落ちた水は、水受け部２３に形成された溝条部２２に案内され水切り傾斜面２１に流れ、水切り傾斜面２１の下端部は外壁パネル１から距離ａ隔てているので、水切り傾斜面２１の下端部から流れ落ちる滴は、外壁パネル１の表面を伝うことなく地面等に落ちるので、外壁パネル１の表面を汚すことはない。水受け部の上に流れ落ちた雨水や結露水が滞水することなく下方の水切り面の下端部から確実に流れ落とすことができる。
【００１９】
また、図４に示す四角形溝付き開口部下水切部材３５においても、上述の丸形溝付き開口部下水切部材２０と同様、開口部のサッシ枠のガラス戸４やサッシ縦枠２を伝って流れ落ちる雨水や結露水は、サッシ下枠の切欠き部３から四角形溝付き開口部下水切部材３５の複数の溝条部２２を形成した水受け部の上に流れ落ちる。そして、この流れ落ちた水は、水受け部に形成された溝条部３６に案内されて水切り面３７に流れ、水切り面３７の下端部は外壁パネル１から距離ａ隔てているので、水切り面３７の下端部から流れ落ちる滴は、外壁パネル１の表面を伝うことなく地面等に落ちるので、外壁パネル１の表面を汚すことはない。また、水受け部の上に流れ落ちた雨水や結露水が滞水することなく下方の水切り面の下端部から確実に流れ落とすことができる。
【００２０】
また、図５、６に示す段差付き四角形溝付き開口部下水切部材３９においても、上述の四角形溝付き開口部下水切部材３５と同様、開口部のサッシ枠のガラス戸４やサッシ縦枠２を伝って流れ落ちる雨水や結露水は、サッシ下枠の切欠き部３から段差付き四角形溝付き開口部下水切部材３９の複数の溝条部３６を形成した水受け部の上に流れ落ちる。そして、この流れ落ちた水は、水受け部に形成された溝条部３６に案内されて水切り面３７に流れ、水切り面３７の下端部から、又は水切り面３７から幾分段差を付けて形成された段差付き水切り面４０に流れ、段差付き水切り面４０の下端部から滴が流れ落ちる。
【００２１】
このため、水受け部の上に流れ落ちた雨水や結露水が滞水することなく下方の水切り面の下端部から確実に流れ落とすことができる。水切り面３７の下端部又は段差付き水切り面４０の下端部は外壁パネル１から距離ａ隔てているので、水切り面３７の下端部から流れ落ちる滴は、外壁パネル１の表面を伝うことなく地面等に落ちるので、外壁パネル１の表面を汚すことはない。
【００２２】
本発明の溝付き開口部下水切部材の水受け部の両端の取付け側壁の先端部が、水受け部の水切り傾斜面より突出するようにしているのは、サッシ下枠の切欠き部から溝付き開口部下水切部材の水受け部に流れ落ちる雨水や結露水が、溝付き開口部下水切部材の幅以上に拡がって流れ落ちるのを防止するためのものである。また、本発明の溝付き開口部下水切部材の水受け部の両端の取付け側壁に傾斜付き取付け孔を形成しているので、取付けているネジを正面から見えないので見栄えも良く、また、建物躯体への取付けも容易である。
【００２３】
【発明の効果】
以上説明したように、本発明の請求項１に記載の発明は、上面に複数の溝条部を形成した水切り傾斜面と該傾斜面に続く水切り面とを有する水受け部の両端に、前記水受け部の水切り傾斜面より先端部が突出する取付け側壁を設けた溝付き開口部下水切部材を外壁に備えているので、サッシ下枠の切欠き部から落ちた雨水や結露水は、滞水することなく下方の水切り面の下端部から下方に確実に流れ落とすことができ、また、水切り面を上面に溝条部を形成した水切り傾斜面と該傾斜面の前端に延設しているので、サッシ下枠の切欠き部から落ちた雨水や結露水等の滴が外壁パネルの表面を伝うことなく流れ落ち外壁パネルの表面を汚さない、更に、水受け部の両端に前記水受け部の水切り傾斜面より先端部が突出する取付け側壁を設けているので、サッシ下枠の切欠き部から溝付き開口部下水切部材の水受け部に流れ落ちた雨水や結露水が、溝付き開口部下水切部材の幅以上に拡がって流れ落ちるのを防止することができる、と云う効果を奏する。
【００２４】
また、本発明の請求項２に記載の発明は、溝付き開口部下水切部材の水受け部の両端の取付け側壁に傾斜付き取付け孔を形成しているので、取付けているネジを正面から見えないので見栄えも良く、また、建物躯体への取付けも容易である、と云う効果を奏する。
【図面の簡単な説明】
【図１】本発明の丸形溝付き開口部下水切部材を備えた外壁の施工外観図、
【図２】本発明の丸形溝付き開口部下水切部材の斜視図、
【図３】本発明の丸形溝付き開口部下水切部材を備えた外壁の施工断面図、
【図４】本発明の溝付き開口部下水切部材の他の実施例の斜視図、
【図５】本発明の溝付き開口部下水切部材の他の実施例の斜視図、
【図６】本発明の段差付き四角形溝付き開口部下水切部材を備えた外壁の施工断面図、
【図７】開口部下水切部材が付設されていない外壁の従来例、
【図８】従来の開口部下水切部材を備えた外壁の例、
【図９】図８の正面図。
【符号の説明】
１  外壁パネル、  ２  サッシ縦枠、  ３  サッシ下枠の切欠き部、
４  ガラス戸、  ５  シール材、  ６  シール材、  ７  汚れ部、
８  開口部下水切部材、  ９  水受け部、  １０  水切り面、
１１  取付け片、  １２  取付けネジ、  １３  側面、
２０  丸形溝付き開口部下水切部材、  ２１  水切り傾斜面、  ２２  溝条部、
２３  水受け部、  ２４  取付け側壁、  ２５  取付け孔、  ２６  ネジ、
２７  躯体枠、  ２８  開口枠、  ２９  サッシ下枠、  ３０  防水テープ、
３１  透湿防水紙、  ３２  通気胴縁、  ３３  バックアップ材、
３４  クギ、  ３５  四角形溝付き開口部下水切部材、  ３６  溝条部、
３７  水切り面、  ３８  取付け側壁、
３９  段差付き四角形溝付き開口部下水切部材、  ４０  段差付き水切り面。
【図１】
0004794774.tif 000002
【図２】
0004794774.tif 000003
【図３】
0004794774.tif 000004
【図４】
0004794774.tif 000005
【図５】
0004794774.tif 000006
【図６】
0004794774.tif 000007
【図７】
0004794774.tif 000008
【図８】
0004794774.tif 000009
【図９】
0004794774.tif 000010